(57)【要約】【課題】色個性判定制御システムにおいて、利用者の個性の傾向や特徴を把握し、利用者が自分にふさわしいものを容易に得たり、あるいは、他人が利用者に容易にアプローチして適切なアドバイスなどを行うことにある。【解決手段】色個性判定制御システム１は、利用者によって選択される複数の特定色データ及び複数の特定色データに対応して利用者の個性の傾向を示す複数の色個性データが記憶されたデータ記憶手段１４を備える制御装置２と、データ記憶手段１４の複数の特定色データ中から利用者に好みの色データを選択して入力させる端末装置３と、制御装置２と端末装置３とを通信可能とする通信回線４とを備える。制御装置２は、端末装置３で利用者に入力された好みの色データに基づいて複数の色個性データ中から利用者にふさわしい色個性を選定する色個性選定手段１１を備える。【選択図】図１
2018132928.tif 000002
【特許請求の範囲】
【請求項１】
利用者によって選択される複数の特定色データ及び前記複数の特定色データに対応して前記利用者の個性の傾向を示す複数の色個性データが記憶されたデータ記憶手段を備える制御装置と、
前記データ記憶手段の前記複数の特定色データ中から前記利用者に好みの色データを選択して入力させる端末装置と、
前記制御装置と前記端末装置とを通信可能とする通信回線とを備え、
前記制御装置は、前記端末装置で前記利用者に入力された前記好みの色データに基づいて前記複数の色個性データ中から前記利用者にふさわしい色個性を選定する色個性選定手段を備えることを特徴とする色個性判定制御システム。
【請求項２】
前記データ記憶手段には、前記複数の特定色データ及び前記複数の色個性データの他に、前記端末装置で前記利用者にチェックさせるチェックシートのデータが記憶されていることを特徴とする請求項１に記載の色個性判定制御システム。
【請求項３】
前記制御装置は、前記色個性選定手段で選定された前記利用者の色個性のデータに基づいて前記利用者にふさわしい利用者データを構築するデータ構築手段を備えることを特徴とする請求項１に記載の色個性判定制御システム。
【請求項４】
前記制御装置は、前記データ構築手段で構築された前記利用者データを前記端末装置に送信することを特徴とする請求項１に記載の色個性判定制御システム。
【請求項５】
前記制御装置は、前記顧客に対して前記端末装置で、前記データ記憶手段の前記複数の特定色データ中から好みの色データを好きな順番に複数選択して入力させることを特徴とする請求項１に記載の色個性判定制御システム。
【発明の詳細な説明】
【技術分野】
【０００１】
この発明は、色個性判定制御システムに係り、複数の特定色データ中から利用者に好みの色データを選択させ、利用者の個性の傾向や特徴を把握することができる色個性判定制御システムに関する。
【背景技術】
【０００２】
従来、被験者などの利用者に色データを選択させ、利用者が選択した色データに基づいて利用者の個性にアプローチし、利用者にアドバイスやセラピーを行っているシステムがある。
例えば、特許文献１に開示のように、色彩診断システムおよびそのプログラムとしては、被験者が選択した色データの配列から、被験者の個性を取り入れ、被験者の個性に合ったアドバイスを提供するものがある。
【先行技術文献】
【特許文献】
【０００３】
【特許文献１】特許第４７５０５５４号公報
【発明の概要】
【発明が解決しようとする課題】
【０００４】
ところで、例えば、衣料商品の一種である着物は、全身を覆う衣であるとともに、洋服には無い程多くの色や柄があることから、何をどのように身に着けるのかにより、見え方が大きく異なるものである。つまり、着物は、衣として人に与えるインパクトがとても大きいものである。
そこで、顧客の着物の選び方においては、肌や髪などによって似合うようなものを決定したり、又は、似合うか否かにかかわらず、人の個性によって共通して好ましいと思う色や柄が容易に得て、他人に一層素敵に見せる着こなしや工夫が、望まれていた。
【０００５】
そこで、この発明は、利用者の個性の傾向や特徴を把握し、利用者が自分にふさわしいものを容易に得たり、あるいは、他人が利用者に容易にアプローチして適切なアドバイスなどを行うことができる色個性判定制御システムを提供することを目的とする。
【課題を解決するための手段】
【０００６】
この発明は、利用者によって選択される複数の特定色データ及び前記複数の特定色データに対応して前記利用者の個性の傾向を示す複数の色個性データが記憶されたデータ記憶手段を備える制御装置と、前記データ記憶手段の前記複数の特定色データ中から前記利用者に好みの色データを選択して入力させる端末装置と、前記制御装置と前記端末装置とを通信可能とする通信回線とを備え、前記制御装置は、前記端末装置で前記利用者に入力された前記好みの色データに基づいて前記複数の色個性データ中から前記利用者にふさわしい色個性を選定する色個性選定手段を備えることを特徴とする。
【発明の効果】
【０００７】
この発明は、利用者が選択した好みの色データに基づいて複数の色個性データ中から利用者にふさわしい色個性を選定し、利用者の個性の傾向や特徴を把握し、利用者が自分にふさわしいものを容易に得たり、あるいは、他人が利用者に容易にアプローチして適切なアドバイスなどを行うことができる。
【図面の簡単な説明】
【０００８】
【図１】図１は色個性判定制御システムの構成図である。（実施例）
【図２】図２は色個性判定制御のフローチャートである。（実施例）
【図３】図３はあなたの色チェックのデータを示す説明図である。（実施例）
【図４】図４は６つの特定色データに対応した色個性データを示す説明図である。（実施例）
【図５】図５は色個性強弱分布のデータを示す説明図である。（実施例）
【図６】図６はファッションタイプ分布のデータを示す説明図である。（実施例）
【図７】図７（Ａ）は似合う円グラフ（自分）のデータを示す説明図である。図７（Ｂ）は似合う円グラフ（着物）のデータを示す説明図である。図７（Ｃ）は似合う円グラフ（ＴＰＯ）のデータを示す説明図である。（実施例）
【図８】図８は似合う円グラフの詳細（１）のデータを示す説明図である。（実施例）
【図９】図９は図８の似合う円グラフの詳細（１）のデータに続く似合う円グラフの詳細（２）のデータを示す説明図である。（実施例）
【図１０】図１０は似合う＝売れる円グラフ（着物の場合）のデータを示す説明図である。（実施例）
【図１１】図１１は似合う＝売れる円グラフ（靴の場合）のデータを示す説明図である。（実施例）
【発明を実施するための形態】
【０００９】
この発明は、利用者の個性の傾向や特徴を把握し、利用者が自分にふさわしいものを容易に得たり、あるいは、他人が利用者に容易にアプローチして適切なアドバイスなどを行う目的を、利用者が選択した好みの色データに基づいて複数の色個性データ中から利用者にふさわしい色個性を選定して実現するものである。
【実施例】
【００１０】
図１〜図１１は、この発明の実施例を示すものである。
図１に示すように、色個性判定制御システム１は、例えば、商品としての着物を取り扱う会社・店舗などで利用されるものであり、制御装置２と、端末装置３と、通信回線４と、印刷装置５とを備える。
制御装置２は、会社・店舗などに設置されるパーソナルコンピュータなどからなる。端末装置３は、利用者である顧客の携帯電話、スマートフォン、又はパーソナルコンピュータなどからなる。通信回線４は、ネットワークからなり、制御装置２と端末装置３とを相互に通信可能とする。印刷装置５は、会社・店舗などのプリンターからなり、制御装置２に接続し、各種データを印刷する。
【００１１】
制御装置２は、制御ユニット（ＥＣＵ）６と、操作手段７と、表示手段８と、通信手段９とを備える。
【００１２】
制御ユニット６は、中央演算処理手段（ＣＰＵ）１０と、色個性選定手段１１と、データ構築手段１２と、印刷出力手段１３と、データ記憶手段１４とを備える。
中央演算処理手段１０は、制御装置２の動作を実行するものである。
色個性選定手段１１は、端末装置３で利用者である顧客が選択して入力された好みの色データに基づいて複数の色個性データ中から顧客にふさわしい色個性を選定する。ここで、色個性とは、色と個性との関係を言い、具体的には、色（色彩）と一般的な人の個性の傾向や特徴との関係を言う。
データ構築手段１２は、色個性選定手段１１で選定された顧客の色個性のデータに基づいて顧客にふさわしい（似合う）利用者データである顧客データ（顧客の個性の傾向や特徴に似合った着物データ）を構築する。
印刷出力手段１３は、印刷装置５に必要な印刷用データを出力する。
データ記憶手段１４は、顧客によって選択される複数の特定色データ及び複数の特定色データに対応して顧客の個性の傾向や特徴を示す複数の色個性データ、また、チェックシートのデータなどの各種データを記憶するように、例えば、後述する第１データ部Ｄ１〜第１０データ部Ｄ１０を備える。
【００１３】
操作手段７は、入力装置であって、会社・店舗などの人（店員など）が各種データを入力するときなどに操作されるものである。表示手段８は、ディスプレィなどであって、各種データを表示するものである。通信手段９は、通信機器であって、通信回線４を介して端末装置３との相互通信を可能とする。
【００１４】
端末装置３は、端末ユニット（ＥＣＵ）１５と、操作手段１６と、表示手段１７と、通信手段１８とを備える。端末ユニット１５は、端末装置３の動作を実行する中央演算処理手段（ＣＰＵ）１９を備える。操作手段１６は、入力装置であって、顧客が各種データを入力するときなどに操作されるものである。表示手段１７は、ディスプレィなどであって、各種データを表示するものである。通信手段１８は、通信機器であって、通信回線４を介して制御装置２との相互通信を可能とする。
【００１５】
制御装置２は、データ記憶手段１４の複数の特定色データ中から顧客に好みの色データなどを選択して入力させるように、端末装置３に通信を行う。
制御装置２は、顧客に対して端末装置３で、データ記憶手段１４の複数の特定色データ中から好みの色データを好きな順番に複数選択して入力させるように、例えば、３つ選択して入力させるように、端末装置３に通信を行う。このように、顧客に好みの色データを複数選択して入力させることにより、より具体的で且つ適切な顧客の色個性を選定することが可能となる。
制御装置２は、データ構築手段１２で構築された顧客データを端末装置３に送信する。
【００１６】
図１に示すように、データ記憶手段１４は、以下の第１データ部Ｄ１〜第１０データ部Ｄ１０を備える。
【００１７】
第１データ部Ｄ１には、複数の特定色データとして、例えば、６つの特定色データが記憶されている。
６つの特定色データは、制御装置２の操作手段７に操作によって入力され、第１データ部Ｄ１に記憶され、また、表示手段８に表示される。
ここで、６つの特定色データとは、この実施例において、例えば、「ピンク」（Ｍａｔｕｒｅ  Ｐｉｎｋ（マチュアピンク））と、「青」（Ｂｌｕｅ  Ｒｏｓｅ（ブルーローズ））と、「白」（旬（しゅん））と、「紫」（藤華（とうか）：藤色）、「茶」（多が紫羅（たがしら））と、「赤」（Ｖａｊｅ（ビアージェ））とである。ここで、Ｖｉａｊｅ（ビアージェ）とは、スペイン語で「旅」の意味である。
６つの特定色データのいずれかは、顧客が端末装置３の操作手段１６を操作して好みのデータを入力したときに選択されるものである。
なお、複数の特定色データとしては、上記の６つに限られることがなく、また、他の色のデータとすることも可能である。
【００１８】
第２データ部Ｄ２には、図３に示すように、チェックシートのデータとして、「あなたの色チェック（ｃｏｌｏｒ  ｃｈｅｃｋ）」のデータが記憶されている。
「あなたの色チェック」のデータは、制御装置２の操作手段７に操作によって入力され、第２データ部Ｄ２に記憶され、また、表示手段８に表示される。
第２データ部Ｄ２のデータは、顧客が端末装置３の操作手段１６を操作すると、通信回線４を介して端末装置３に送信されて端末装置３の表示手段１７に表示される。これにより、制御装置２は、顧客に対して、表示手段１７に表示した第２データ部Ｄ２のデータの各項目に沿って端末装置３の操作手段１６の操作を誘導することができる。
「あなたの色チェック」のデータには、例えば、図３に示すように、顧客に好みの色データを選択させる項目が含まれ、また、顧客の色個性をさらに的確に判定させるように、以下のような各項目が設定されている。
（１）好きなの色を６色の中から上から順番（好きな順番）に３色選んで下さい。
（２）好きな言葉を６つの中から順番に３つ選んで下さい。
（３）あなたが該当するものを３つまで選んで下さい。
（４）あなたの髪と目の色を教えて下さい。
（５）肌の色を教えて下さい。
なお、「あなたの色チェック」のデータにおいては、顧客の身長、体重などの身体的特徴のデータを追加することも可能である。これにより、顧客の色個性を高い精度で判定させることができる。
【００１９】
第３データ部Ｄ３には、チェックシートのデータとして、「着物ファッションタイプのチェック」のデータが記憶されている。
「着物ファッションタイプのチェック」のデータは、制御装置２の操作手段７に操作によって入力され、第３データ部Ｄ３に記憶され、また、表示手段８に表示される。
第３データ部Ｄ３は、顧客が端末装置３の操作手段１６を操作すると、通信回線４を介して端末装置３に送信されて端末装置３の表示手段１７に表示される。これにより、制御装置２は、顧客に対して、表示手段１７に表示した第３データ部Ｄ３のデータ各項目に沿って端末装置３の操作手段１６の操作を誘導することができる。
【００２０】
「着物ファッションタイプのチェック」のデータには、例えば、以下のような各項目が設定されている。
【００２１】
＜Ｑ（質問）＞
当てはまると感じたものにチェックを入れて下さい。
あまり考え込まず、直感で答えて下さい。
一番チェック数が多いものが、あなたのタイプです。
それぞれのタイプページに行って、内容を読んで下さい。
【００２２】
（１）「ピンク」→こちらから
＜チェックリスト＞
細かい格子模様が好き。
ピンクについ目が行く。
とにかく可愛いらしい柄を手にとってしまう。
花柄には目がない。
好き嫌いははっきりしている方だ。
昔から「可愛いね」とよく言われる。
他の人だと地味な着物を若々しく着こなすことがある。
小さなドット模様の服を持っている。
玩具の柄が好き。
年齢より若く見られる。
ピンク・黒・水色・黄緑が手持ちの服に割とある。
肌はピンク・イエロー。
グレーの着物は老けて見えることがある。
現在のチェック数は…
【００２３】
（２）「青」→こちらから
＜チェックリスト＞
花柄の中でも、伸びやかな流れのある繊細なものが好き。
うさぎ柄が好きだが、顔にはこだわる。
ネイルは目立たない程度に素敵にしたい。
緑・茶系の色はあまり着ない。
市松模様はあまり惹かれない。
ビビッドカラーよりパステルカラーの方が似合うと言われる。
個性的な柄より繊細な柄のほうが似合うと思う。
個性の強いものも着てみたいと思っている。
ピンク・グレー・水色・クリーム色が手持ちの服に割とある。
雪輪模様はあまり好きではない。
繊細さが足りないものはあまり似合わない。
肌はピンク・イエロー。
着るものによっては、肌の色が悪く見えることがある。
現在のチェック数は…
【００２４】
（３）「白」→こちらから
＜チェックリスト＞
かっこいいと言われることが多い。
昔から大人っぽく見られた。
人に見られる自分は常に格好よくありたい。
そのための努力をおしまない。
お気に入りのネイルサロンがある。
友達からネイルをほめられることが多い。
人がしないことをしたいという気持ちがある。
化粧をしないことが多い。
おしやれだと人に言われることがある。
良いものは好きだが、それほど高額品は必要ではないと思う。
専業主婦になって夫を支えたいと思う。
肌は、ピンク・イエロー、あるいはオークルがかっている。
手足が長くてすらっとしてみられる。
現在のチェック数は…
【００２５】
（４）「紫」→こちらから
＜チェックリスト＞
柔らかいピンクが昔から好き。
優しい市松柄模様や唐草模様など、昔ながらの柄に惹かれる。
花柄や優雅な柄が好きで、そればかり買ってしまう。
可愛いものも好きだが、格好いいものにも惹かれる。
もっとシャープな着こなしもしてみたい。
真っ黒よりも墨色や茶色の方が似合うと思う。
いざ着ようとすると同じような柄ばかりになってコーディネートが難しい。
ネイルはあまり積極的にはやらないが、興味はある。
藤色が好き。
雪輪や源氏香は素敵だと思う。
丸顔が気になる。
肌はピンク・イエロー。
顔立ちは割とはっきりしている。
現在のチェック数は…
【００２６】
（５）「茶」→こちらから
＜チェックリスト＞
ブランド志向がある。
良いものは守っていきたいと強く思う。
人とはあまり比較しない。
人が良いというものよりも、自分の価値観の中で良いものに出会いたい。
計画性はある方だ。
「後々まで残せる」という財産になる着物が欲しい。
そんな着物を日常的に着こなす人になりたい。
余り軽々しく見られない。
家族や周りとの調和を大切にしている。
頭の中で欲しいブランドの順位付けがある。
ネイルにはあまり興味がない。
肌は、オークル。
落ち着いてみられることが多い。
現在のチェック数は…
【００２７】
（６）「赤」→こちらから
＜チェックリスト＞
強い個性が好き。
肌はオークル・イエロー系。
エスニックが好き。
自分の好みにこだわって探すことが好き。
緑・青・赤・黒・紫などの色が好き。
黒色のものを着ることが多い。
個性的なものが好き。
好きなものは良く分かると思う。
好きなことは突き詰めるタイプ。
人の目よりも自分の感性を大切にしたい。
好きなものは、とてもはっきりしている。
強いコントラストが無いと物足りないと思う。
長いストレートな髪が好き。
野草など自然なものが好き。
南の島が好き。
映像などビジュアルが好き。
現在のチェック数は…
【００２８】
第４データ部Ｄ４には、図４に示すように、６つの特定色データに対応して顧客の個性の傾向や特徴を示す色個性データが記憶されている。
第４データ部Ｄ４の色個性データは、制御装置２の操作手段７に操作によって入力され、第４データ部Ｄ４に記憶され、また、表示手段８に表示される。
第４データ部Ｄ４の色個性データは、端末装置３から顧客の好みの色データが制御装置２に送信されて、制御装置２の色個性選定手段１１で顧客にふさわしい色個性（個性の傾向や特徴）を選定するときに用いられるものである。
第４データ部Ｄ４の色個性データにおいては、図４に示すように、顧客によって選択される好みの色データの違いにより、「色数・ポイント」、「個性」、「価値観」、「大切なもの」、「好きな色柄」、「嫌いな色柄」、「問題点」、「解決策」の各項目が設定されている。
【００２９】
第５データ部Ｄ５には、図５に示すように、「色個性強弱分布」の色個性データが記憶されている。
第５データ部Ｄ５の色個性データは、制御装置２の操作手段７に操作によって入力され、第５データ部Ｄ５に記憶され、また、表示手段８に表示される。
第５データ部Ｄ５の色個性データは、端末装置３から顧客の好みの色データが制御装置２に送信されて、制御装置２の色個性選定手段１１で顧客の個性の傾向や特徴にふさわしい色個性を選定するときに用いられるものである。
第５データ部Ｄ５の色個性データにおいては、図５に示すように、「こだわり」、「品質」、「かわいさ」、「かっこよさ」、「若さ」、「自分中心」、「強さ」、「寂しい」、「柄の多さ」、「複雑さ」、「高額さ」の各項目において、顧客の好みの色データに応じてその強弱が設定されている。
【００３０】
第６データ部Ｄ６には、図６に示すように、「ファションタイプの分布」の色個性データが記憶されている。
第６データ部Ｄ６の色個性データは、制御装置２の操作手段７に操作によって入力され、第６データ部Ｄ６に記憶され、また、表示手段８に表示される。
第６データ部Ｄ６の色個性データは、端末装置３から顧客の好みの色データが制御装置２に送信されて、制御装置２の色個性選定手段１１で顧客の個性の傾向や特徴にふさわしい色個性を選定するときに用いられるものである。
第６データ部Ｄ６の色個性データにおいては、図６に示すように、顧客によって選択された好みの色データの違いにより、「かわいい」、「かっこいい」、「こだわる」、「こだわらない」の各項目が設定されている。
【００３１】
第７データ部Ｄ７には、図７に示すように、「似合う円グラフ」の色個性データが記憶されている。
第７データ部Ｄ７の色個性データは、制御装置２の操作手段７に操作によって入力され、第７データ部Ｄ７に記憶され、また、表示手段８に表示される。
第７データ部Ｄ７の色個性データは、端末装置３から顧客の好みの色データが制御装置２に送信されて、制御装置２の色個性選定手段１１で顧客の個性の傾向や特徴にふさわしい色個性を選定するときに用いられるものである。
第７データ部Ｄ７の色個性データは、「自分」（図７（Ａ）参照）と、「着物」（図７（Ｂ）参照）と、「ＴＰＯ」（図７（Ｃ）参照）とに分けて設定される。ここで、「ＴＰＯ」とは、時間（Ｔｉｍｅ）と場所（Ｐｌａｃｅ）と場合（Ｏｃｃａｓｉｏｎ）とに応じた方法、態度、服装などの使い分けを意味している。
図８〜図９には「似合う円グラフ」の色個性データの各項目の詳細を示す。
「自分」については、肌の色」、「髪の色」、「目の色」、「年齢」、「立場」、「好き」、「似合う」、「意思（こうみせたい）」、「個性」の各項目で設定されている。
「着物」については、「種類」、「格」、「豪華さ」、「素材」、「風合い」、「色」、「柄」、「季節感」の各項目で設定されている。
「ＴＰＯ」については、「季節」、「行事場面」、「月日」、「時間」、「場所」の各項目で設定されている。
【００３２】
第８データ部Ｄ８には、図１０に示すように、「似合う＝売れるの円グラフ（着物の場合）」の構築用データが記憶されている。
「似合う＝売れるの円グラフ（着物の場合）」の構築用データは、制御装置２の操作手段７に操作によって入力され、第８データ部Ｄ８に記憶され、また、表示手段８に表示される。
第８データ部Ｄ８の構築用データは、制御装置２の色個性選定手段１１で選定された色個性のデータに基づき、制御装置２のデータ構築手段１２で顧客の個性の傾向や特徴にふさわしい着物の利用者データである顧客データを構築するときに用いられるものである。
第８データ部Ｄ８の構築用データは、「似合う＝調和する」の意味合いであって、「着物」の各項目と「自分（個性）」の各項目と「ＴＰＯ」の各項目との組み合わせにより、自己満足と他者からの賞賛があれば、間違いなく「似合う」のであり、「その着物は売れる」として設定されている。
【００３３】
第９データ部Ｄ９には、図１１に示すように、「似合う＝売れるの円グラフ（靴の場合）」の構築用データが記憶されている。つまり、色個性判定制御システム１は、商品として、着物以外の靴などにも適用可能である。
「似合う＝売れるの円グラフ（靴の場合）」の構築用データは、制御装置２の操作手段７に操作によって入力され、第９データ部Ｄ９に記憶され、また、表示手段８に表示される。
第９データ部Ｄ９の構築用データは、制御装置２の色個性選定手段１１で顧客の色個性のデータが選定された後、制御装置２のデータ構築手段１２で顧客の個性の傾向や特徴にふさわしい靴の顧客データを構築するときに用いられるものである。
第９データ部Ｄ９の構築用データは、「似合う＝調和する」の意味合いであって、「着物」の各項目と「自分（個性）」の各項目と「ＴＰＯ」の各項目との組み合わせにより、自己満足と他者からの賞賛があれば、間違いなく「似合う」のであり、「その靴は売れる」として設定される。
この靴の場合には、図１１に示すように、色個性の選定のために、特に、足の形（足の長さ、足の厚み、足の幅）が重要な要件とされる。また、足の形に対して、靴の長さなどが似合うための要件とされる。
なお、この実施例においては、着物や靴のデータの他に、家具、カバン、時計、眼鏡、帽子、自動車、ビールなどの他種の「似合う＝売れるの円グラフ」のデータを設定することも可能である。
【００３４】
第１０データ部１０は、顧客の色個性などに関するデータである顧客データを記憶し、また、表示手段８に表示される。
【００３５】
なお、上記の第１データ部Ｄ１〜第９データ部Ｄ９の各データの各項目は、長い間培われた経験則から得られた内容である。
【００３６】
次いで、この実施例に係る色個性判定制御システム１について、図２のフローチャートに沿って説明する。
図２に示すように、先ず、顧客が端末装置３の操作手段１６を操作（入力）し、制御装置２の色個性判定制御システム１のサイトへアクセスすると、制御装置２では、色個性判定制御システム１のプログラムがスタートする（ステップＡ０１）。
制御装置２は、端末装置３からのアクセスがあると、データ記憶手段１４の第１データ部Ｄ１のデータを、端末装置３に送信する（ステップＡ０２）。これにより、端末装置３の表示手段１７には、第１データ部Ｄ１のデータが表示される（ステップＡ０３）。
そして、顧客が第１データ部Ｄ１のデータの各項目に沿って端末装置３の操作手段１６の操作をすると、制御装置２は、その操作手段１６での操作データを受信する（ステップＡ０４）。つまり、この操作データには、顧客によって選択された好みの色データなどが含まれている。
制御装置２は、第１データ部Ｄ１のデータの各項目に沿った操作が終了したか否かを判断する（ステップＡ０５）。このステップＡ０５がＮＯの場合には、この判断を継続する。
このステップＡ０５がＹＥＳの場合には、顧客の好みの色データなどが既に選択され、制御装置２は、データ記憶手段１４の第２データ部Ｄ２のデータを、端末装置３に送信する（ステップＡ０６）。これにより、端末装置３の表示手段１７には、第２データ部Ｄ２のデータの内容が表示される（ステップＡ０７）。
そして、顧客が第２データ部Ｄ２の各データの各項目に沿って端末装置３の操作手段１６の操作をすると、制御装置２は、その操作手段１６での操作データを受信する（ステップＡ０８）。
制御装置２は、第２データ部Ｄ２のデータの各項目に沿った操作が終了したか否かを判断する（ステップＡ０９）。このステップＡ０９がＮＯの場合には、この判断を継続する。
このステップＡ０９がＹＥＳの場合には、制御装置２の色個性選定手段１１は、色個性の選定を開始する（ステップＡ１０）。
そして、色個性選定手段１１は、第１データＤ１及び第２データＤ２における各項目の操作データと、データ記憶手段１４の第４データＤ４〜第７データＤ７の各色個性データとを照合・比較する（ステップＡ１１）。つまり、制御装置２は、顧客によって選択された好みの色データに基づいて、各種の色個性データ中から顧客の個性の傾向や特徴にふさわしい色個性を検索する。
そして、その色個性の選定が終了したか否かを判断する（ステップＡ１２）。このステップＡ１２がＮＯの場合には、この判断を継続する。
このステップＡ１２がＹＥＳの場合には、制御装置２のデータ構築手段１２は、選定された色個性のデータに基づき、また、第８データ部Ｄ８及び第９データ部Ｄ９の構築用データを加味して、顧客にふさわしい色柄や模様の着物の着物データ（利用者データ）を構築する（ステップＡ１３）。つまり、着物データは、顧客の個性の傾向や特徴から、顧客に最もふさわしい着物のデータを示すものである。なお、制御装置２では、選定された色個性のデータを、端末装置３に送信し、例えば、図３において、「あなたの色個性結果」として、端末装置３の表示手段１７に表示させることも可能である。これにより、顧客は、自分の色個性を把握することが可能となるる
そして、制御装置２は、その着物データを端末装置３に送信する（ステップＡ１４）。端末装置３の表示手段１７には、その着物データが表示される（ステップＡ１５）。なお、選定された色個性のデータや着物データは、会社や店舗でもその内容が確認できるように、制御装置２の表示手段８に表示される。
これにより、顧客は、端末装置３の表示手段１７の着物データを見て、自分に似合うか否かを確認することができ、そして、その着物を購入するか否かの判断を速やかに行うことができる。つまり、顧客は、自分にふさわしい（似合う）着物を容易に得て、人に一層素敵に見せる着こなしや工夫を行うことができる。
その後、顧客がその着物を購入したい場合、あるいは、その着物についての質問がある場合には、顧客が端末装置３の操作手段１６を操作すると、制御装置２は、その操作データを受信する（ステップＡ１６）
そして、制御装置２は、その操作データに基づいた各種の処理を実行する（ステップＡ１７）。このステップＡ１７における処理は、制御装置２がその操作データを受信し、会社・店舗の人（店員など）が表示手段８を見て顧客へ返答するための操作手段７の操作をも含むものである。
そして、この処理が終了したか否かを判断する（ステップＡ１８）。このステップＡ１８がＮＯの場合には、この判断を継続する。
このステップＡ１８がＹＥＳの場合には、このプログラムをエンドとする（ステップＡ１９）。
なお、上記のステップＡ１３において構築された着物データを、第１０データ部Ｄ１０に記憶する。これにより、会社・店舗の人は、顧客の管理を容易に行うことができる。
【００３７】
また、この実施例においては、色個性判定制御システム１を、以下のように、店舗・会社だけで利用することも可能である。
例えば、顧客が会社・店舗に来た場合に、会社・店舗の人（店員など）が、制御装置２を作動し、そして、第１データＤ１や第２データＤ２の各データの項目に沿って顧客に尋ね、操作手段７を操作することにより、制御装置２の色個性選定手段１１が、顧客の個性の傾向や特徴にふさわしい色個性を選定する。そして、制御装置２は、データ構築手段１２で構築された顧客にふさわしい着物の着物データを、制御装置２の表示手段８に表示する。これにより、会社・店舗の人は、顧客の色個性、個性の傾向や特徴を把握しつつ、顧客に容易にアプローチすることができ、また、顧客にどのような着物が適切なのかをアドバイスすることが可能となる。
【００３８】
この結果、例えば、「着物の色から個性を知ることができる色個性（着物のファッションタイプ）」においては、以下のように、上記の６つの特定色データ毎で、人の個性の傾向や特徴を把握（予測）することができる。
【００３９】
（１）「ピンク」
＜個性＞
好きな色：このタイプの人は、ピンクがとても好きである。
全てをピンクで統一する人も多い。
社会性から、黒やグレーなどばかり着ていて、ピンクが好きなことが分かり難い人もいますが、好きな色を聞くと、ピンクが強く根底にある。
ピンクの他には、薄い黄緑や水色やクリーム色などを好む。
イエロー系の可愛さが似合う。
髪と目：茶色。
イメージ：可愛い。
好きな色：ピンク、水色、黄緑、パステルカラー、シックな色は好まない。
好きな柄：ドット模様、格子模様、小花、子供、小動物、七宝柄、リボン、刺繍も好き、縞・市松などは好む。
身に着ける色数：４色程度、無地、シックは好まない。
このタイプの人は、永遠の可愛さを持っている。
キュートで、誰からも、「可愛い」と親しまれるキュートさがある。
愛の重要性が高く、家族愛、親子の愛、友情、人類愛などを重んずる。
若々しくて、物語性を大切にする。
可愛いものの次には、パンチが効いたはっきりしたものが好きである。
格式、端正、格好良い、女らしい、シック、複雑などに惹かれない。
楽しさ、可愛さ、自由さを好む。
子供をとても大切にして、子供の意見で着る物を選ぶことが多い。
音楽家などの自由な職業の人に惹かれる。
問題点：大人の可愛さを表現できる色柄が少ない。
【００４０】
（２）「青」
青、さわやか、安定。
印象：さわやか、すっきり、おとなしく見える。寂しく見える。
好きな色：水色、青、グレー・薄いベージュ。
最適な色数：１．２色。
好きな柄：小花、七宝、ちどり、うさぎ、格子模様。
個性・価値観：平和・安定・誠実・健康。
細やかな配慮をする。
決めたら早い。
伝統、古典を好む。
問題点：顔色が悪く寂しく見えることが有るので、オレンジの挿し色などで明るさを出すようにする。
好む色合いが限られるのでコーディネートは難しく無いのですが、同じような雰囲気になる。
＜個性＞
顔：細面、清潔感のあるさわやかな顔立ち。
肌：色白、ピンク・イエロー。
髪と目：茶色。
目鼻立ち：細くてすっきり。
イメージ：さわやかで清楚。
ピンクの可愛さよりも、もう少し大人っぽく、すっきりと端正な雰囲気。
好きな色：白、薄い水色、紺、ベージュ。
部屋のクローゼットの中は似た色の洋服や着物が多いので、コーディネートに困らない。
好きな柄：うさぎ、すっきりした流れる少しの花、少しの柄、優しい花柄、千鳥江戸小紋、格子、水玉。
注意点：顔が暗く見えることがある。
身に着ける色数：１．２色。
留意点：身に着ける色によって、顔がくすんでみえることがある。
濃い目のオレンジの色が、肌を明るく見せてくれる。
性格・好み：こうあるべきだというこだわりが強く、自分の世界の邪魔をされたくない。
読書家。
苦手なものが多いので注意深くなる。
寂しがりやで、一人の時間より誰かと一緒の時間が多い。
温泉が好き。
女性の場合は、自分の強さを出さないように常に意識して可愛い柄を選ぶ。
前に出ないで控え目。
フォクシーの服が好き。
好きなタイプの男性：同じ職場や同じ職業、同級生などといると安心の人。
【００４１】
（３）「白」
＜特徴・個性＞
全てに格好良く、ファッショナブルで真面目。
顔：細面。
肌：イエロー・ピンク。
髪と目：焦げ茶。
細めの体。
目鼻立ち：細くてすっきり。
身に着ける色数：１．５色。
好きな色：白、水色、紫（イエロー系は嫌い）。
白いショールを素敵に使う（他のタイプに白いショールは合わない）。
イメージ：自他共にに認める素敵なおしゃれ。
ファッションリーダー的な存在で、あこがれられる。
ファッションだけでなく、ライフスタイル全般がおしゃれでそのために努力を惜しまない。
人の目が気になり、素敵でいることが礼儀だと思っている。
子供の頃からパリコレクションやファッション雑誌を見て、母親にあきれられたりしました。
一番好きな色が白で、白をとても素敵に着る。
白いカーデガンも何枚も持っている。
自分の証明写真にはいつも白い服を着た写真を使う。
白の次は水色や紫。
ピンクを自分が着るのは恥ずかしいと思っている。
金銀ピカピカ華やかなものも好き。
すっきりした銀座のママさんセンスにあこがれる。
少し太っても気になる。
毎朝のジョギングや週３回のジム通いなどで鍛えている。
犬を飼っている。
インテリアグッズが好きで買い物も好き。
論理的で、今が幸せと思っている。
ネイルをいつも素敵にしている。
スポーツカー、外車などを自分で運転している。
同じ時間に予定が複数人ったら、少しずつ時間をずらしても全部に参加する。
八方美人だと言われるが、やってしまう。
留意点：白い着物に白い帯を合わせるようなコーディネートになることが多く、他の色の選択枝が少ないので、行き詰ってしまいがち。
そのセンスを追求しすぎると、女性からの賞賛とあこがれは大きくなりますが、男性目線では年上に見えることがある。
その対策は、下記の２点です。
（１）広がりや暖かさを持つ色合いを加えること。
（２）色数が少なくても質感を上げれば、コントラストがついて上品さが加わる。
【００４２】
（４）「紫」
＜特徴・個性＞
華やかで多くの要素を持ち、自分の世界を持つ。
世界的に一番多いタイプ。
顔：イエロー・ピンク。
髪と目：焦げ茶。
体型：中肉。
目鼻立ち：他のタイプに比べると大きな目や口など。
好きな柄：市松柄、縞柄。
好きな色：藤色、白、黒、ピンク、水色、茶色、緑などで、真っ白よりも少し生成りがかった白、真っ黒よりも墨色が似合う。
イメージ：可愛い、格好良い、清楚、華やか、格好良いなど全て好き。
自分では意識しないが、他のタイプと比べると目鼻立ちの大きさから華やかさ、女らしさを持つ。
留意点：いざ着ようとすると、コーディネートが成立しずらい華やかなものも好むのに、実際に似合うのは、シックなものであることが多い。
このタイプの方々は、多くの要素を自分が持つために、多くのことを受け入れることが出来るので、器用である。
このため、嫌いなものが少なくて、あれもこれも好き。
結果的に、選ぶことが難しくて消去法で選ぶことが多い。
その他：自由や自分の世界がとても大切。
仕事でも、趣味でも良いのですが、自分ひとりで何かを目指し燃えている一人の世界が大切で、その世界がなくなると、何のために生きているのかわからなくなる。
しかし、その世界を追及する訳ではない。
好きなものを一層追及するのではなく、知らない物や何か変わったものに惹かれる。
みんなと同じでは嫌でブランド志向もない。
他とは違う素材感や形に惹かれる。
前後の長さが違うとか左右同じでない形の服に惹かれる。
休日、一人でいる時間が絶対に必要。
今より将来が気になる。
食べることが好き。
感性が豊かで理論派ではない。
人に物事を教えるのが得意ではない。
対策：花柄の着物に、「花柄の帯が合わない」というような悩みが多く、また、色無地を着ると、仲居さんや介添えさん風に見えることがある。
花柄の着物などに合わせる帯は、シャープさがある幾何学模様のもの。
少しシックや小粋などのものも身につけることで、ご自分の華やかさや女らしさが引き出される。
好きな男性の好タイプ：全タイプの中で、一番意外なタイプの男性を選ぶ。
自分が多くの要素を持つので、自分に無い要素を求めることになり、意外性のある男性とのカップルが多い。
紫タイプの人の対策：
（１）紫タイプの人は、幾何学模様では、物足りないと感じることが多い。
その気持ちは十分分かるのですが、帯は着物の調整役と割り切って選ぶ。
花柄にも大きな優雅な曲線にも、同じような雰囲気の帯は合わない。
帯を華やかにした時は、着物を無地感覚にする。
（２）花柄も似合うが、顔の傍に大きな花がくるものなど、素敵に見えないことが多い。
華やかなあなたには、花よりシックや粋の人が似合う。
生け花に例えるなら、あなたの顔が花と、着物や帯を茎や葉っぱと思って、全体を作り上げる。
（３）縞やダークな色を着てみましょう。
それによって、あなたの華やかな女らしさが引き出されることが分かる。
【００４３】
（５）「茶」
＜特徴・個性＞
印象：少し地味でおとなしく見える。
好きな色：茶色を好む。深みが有る色が好き。
目立つ強い単調な色は着ない。
最適な色数：４色以上。または、柄の多さや風合いが４ポイント以上。                好きな柄：単調な柄よりも複雑な風合いや柄が合う。
光沢があるものよりも、もこもこや、ふわふわしたような地味で味わいが感じられるものを好む。
個性・価値観：知識や情報が重要。
知識欲が旺盛で、時々で自分の中にテーマを持っていて追求する。                    男性なら、カメラ、オーディオなど良いものを大切に使いたい。
原理原則が重要で、「辞書も信じない」程自分で確かめて進む。
その歩みは器用ではないのでゆっくりですが、時間をかけて人に教えられるほど豊かな情報と経験を身につける先生タイプ。
人の役に立ちたいと常に思っている。人の役に立つことがひいては自分に返ってくると無意識に思っている。
派手なことや目立つことは好まないが、常に周囲の人の役に立とうと思っているので結果的に人望がある。
自分からリーダーになることを望まないが、周囲からの後押しでリーダーになるタイプ。
頼まれたら断らず、何でも引き受ける。
人のためになることは使用と思うが、自分のためにはそれ程やる気が出ないので受験に失敗したりする。
コミュニケーションをとって、言葉で周囲の人と確認し合う。
良くコミュニケーションを取る。
根拠や裏づけが大切だと思う。
同調や反対だけでなく、異なる意見が重要と思うから、自分のそばに異なる意見を言ってくれる人がいて欲しいと思う。
そんな人と結婚するケースが多い。
関心が有ることは、知り尽くしたいと思う。解説書は必ず読みます。わかっていても知らないことがあったら読み、もっと良い使い方を探る。
詳細な情報に接すると引き付けられる。反対から見たら違って見えるとかグラデーションになっているというような情報は魅力的である。
根拠などが分からないと理解できないので、要領よく勉強できるタイプではない。
それが分かっているので、常に勉強して努力している。
目標を立てて突き進むタイプではなく、日々着実に進むタイプ。
心配や不安もそれほど無く、寝れば忘れてしまう程度。
問題点：ファッションに強いが興味はなく、おとなしく地味に見える。
こだわった色柄を好む。
ただ、こだわりや複雑は若さの反対である。
地味で老けて見えることがある。
柄の多さも、格好良いすっきり態と相反するものですから、ＴＰＯに応じて使い分ける。
数少なくて良いから、良いものを大切に使いたいと若い頃から思われる。
ライフスタイル全般において品質を見極める力を持って凛として、計画的に良いものをもたれようとする。
色柄としては、とても細かく複雑で多くの色を使った高級感が感じられるものにすぐに反応して好み、身につけるとすても素敵に見える。
逆にシンプルではっきりしたもの、色数が少なく単調なものを好まない。
一見、地味とも思えるものを若々しくエレガントにまとうことができる。
しかし、若い人から見ると、古くさく見えることがある点に要注意です。
若さとのバランスを意識しましょう。
「白」の人々があまり品質に向かわず、自分の素敵な着物姿を追求なさるのと対照的に、「茶」の人々は、品質をとても重視する。
女らしさや可愛さは必要としない人がほとんどですが、１本の帯締め・１枚の帯揚げの色で、色んな変化を加えることもできる。
茶タイプの人の対策：
（１）似合うをもう少し追求してみましょう。
きっと、−層素敵なあなたか見えてくる。
（２）上質な着物や帯は、コーディネートの妙で変化をつけて楽しみましょう。
コーディネート講座などを利用してください。
【００４４】
（６）「赤」
＜特徴＞  
この赤タイプの人は、自然や旅を愛し自由でエスニックな雰囲気がとても好き。
好みのセンスを強くもっていて、そのセンスのものを入手することにエネルギと時間とをかける。センスに妥協することはない。
色数は４色で、パンチが効いた色が３色以上入ったものが似合う。
エステックな柄が好き。
赤、黒、緑、青、紫が好き。
好きなセンスの物は、何十年でも大切にする。
自然を愛し、素材を大切にする。旅を愛します。
こだわると、追求してしまう。
その追求している時間が好き。
目や髪が黒い人が多い。
肌がオークル系の人が多い。
褐色の肌の異性に惹かれる。
判断に迷ううことはほとんどない。
日々、強くならないといけないと思っている。
ねこのきままさが好き。
指輪を３個はめたりする。
長期休暇を取って南の島に行って、ぼうっと１日海を見ているのが好き。
川沿いを何時間も何も考えずに音楽を聴きながら毎週歩くのが好き。
【００４５】
制御装置２は、上記の顧客の個性の傾向や特徴を基にして、顧客にふさわしい顧客データ（利用者データ）を構築し、この顧客データを、表示手段８に表示したり、あるいは、端末装置３の表示手段１７に表示する。
【００４６】
なお、この実施例においては、上記の第１〜第１０データ部Ｄ１〜Ｄ１０の各データは、制御装置２の操作手段７の操作により、印刷装置５で印刷したり、また、修正などで更新が可能である。
また、色個性判定制御システムにおいては、サーバ装置、データベースなどの機器を組み入れて用いることも可能である。
【産業上の利用可能性】
【００４７】
この発明に係る色個性判定制御システムは、利用者の色個性に合った物作り、接客、営業、販売、スムーズな組織運営、間違いのない人的配置の採用、進路、人間関係の改善などの各種の仕様にも適用可能である。
【符号の説明】
【００４８】
１  色個性判定制御システム
２  制御装置
３  端末装置
４  通信回線
５  印刷装置
６  制御ユニット（ＥＣＵ）
７  制御装置の操作手段
８  制御装置の表示手段
９  制御装置の通信手段
１０  制御ユニットの中央演算処理手段（ＣＰＵ）
１１  制御ユニットの色個性選定手段
１２  制御ユニットのデータ構築手段
１３  制御ユニットの印刷出力手段
１４  制御ユニットのデータ記憶手段
１５  端末ユニット（ＥＣＵ）
１６  端末装置の操作手段
１７  端末装置の表示手段
１８  端末装置の通信手段
１９  端末ユニットの中央演算処理手段（ＣＰＵ）
Ｄ１〜Ｄ１０  データ記憶手段の第１〜第１０データ部
【図１】
2018132928.tif 000003
【図２】
2018132928.tif 000004
【図３】
2018132928.tif 000005
【図４】
2018132928.tif 000006
【図５】
2018132928.tif 000007
【図６】
2018132928.tif 000008
【図７】
2018132928.tif 000009
【図８】
2018132928.tif 000010
【図９】
2018132928.tif 000011
【図１０】
2018132928.tif 000012
【図１１】
2018132928.tif 000013